(57)【特許請求の範囲】
【請求項１】
容器本体の側面にヒンジ部を介して回動自在に支持される把手を前記容器本体に対して着脱自在に取り付ける着脱式把手のヒンジ構造であって、
前記ヒンジ部は、前記容器本体の側面から突出された支軸と、
前記支軸の先端から拡径方向に突出された抜け止め部と、
前記把手に設けられて、前記支軸及び前記抜け止め部をスライド自在に案内するガイド孔と、
前記ガイド孔のスライド方向の一方側に位置して前記抜け止め部の回動を規制する回動規制部と、
前記ガイド孔のスライド方向の他方側に位置して前記抜け止め部を回動自在に案内する回動案内部とを有し、
前記ガイド孔の内側に進入した前記抜け止め部及び前記支軸を前記ガイド孔の他方側に位置させることによって、前記把手を回動させたときに前記抜け止め部が前記ガイド孔から抜け止めされた状態となると共に、
前記抜け止め部は、平面視で楕円形状を有し、
前記回動案内部は、前記抜け止め部の回動範囲に合わせて平面視で円形状に切り欠かれた凹部であり、
前記回動規制部は、前記凹部との境界において前記抜け止め部と当接される一対の当接部であり、
前記ガイド孔の一方側から前記抜け止め部及び前記支軸を前記ガイド孔の内側に進入させた状態から前記把手を回動させたときに、前記抜け止め部が前記一対の当接部と当接しながら前記凹部の内側へと進入すると共に、前記支軸が前記ガイド孔の一方側から他方側へとスライドすることによって、前記抜け止め部が前記ガイド孔から抜け止めされた状態となることを特徴とする着脱式把手のヒンジ構造。
【請求項２】
前記ヒンジ部は、前記容器本体の側面から突出されたガイド凸部と、
前記把手の前記ガイド凸部と対向する面に前記ガイド凸部を前記把手の回動方向に所定の角度範囲で案内するガイド凹部と、
前記ガイド凹部の前記回動方向の一端側と他端側との少なくとも一方側において、前記ガイド凸部と当接される規制凸部とを有し、
前記ガイド凸部が前記規制凸部に当接されることによって、前記把手の回動が規制されると共に、前記ガイド凸部が前記規制凸部を乗り越えることによって、前記角度範囲を超えて前記把手が回動されることを特徴とする請求項１に記載の着脱式把手のヒンジ構造。
【請求項３】
前記把手は、前記ガイド孔の前記抜け止め部及び前記支軸が進入する側とは反対側に着脱自在に取り付けられるカバー部材を有し、
前記カバー部材は、前記支軸の先端に設けられた軸穴に係合される軸ピンを有して、前記ガイド孔に沿った方向にスライド自在に取り付けられていることを特徴とする請求項１又は２に記載の着脱式把手のヒンジ構造。
【請求項４】
容器本体と、
前記容器本体の側面にヒンジ部を介して回動自在に支持される把手とを備え、
請求項１〜３の何れか一項に記載の着脱式把手のヒンジ構造を有して、前記容器本体に対して前記把手が着脱自在に取り付けられていることを特徴とする携帯型飲料容器。
【請求項５】
前記把手は、前記容器本体の相対する側面に前記ヒンジ部を介して上下方向に回動自在に支持された一対のアーム部と、前記一対のアーム部の間を連結するアーチ部とを有するハンドルであることを特徴とする請求項４に記載の携帯型飲料容器。
【請求項６】
前記把手は、前記容器本体の相対する側面において前記ヒンジ部を介して上下方向に回動自在に支持された可撓性のストラップであることを特徴とする請求項４に記載の携帯型飲料容器。
【請求項７】
前記容器本体の上部開口部を閉塞するキャップユニットを備え、
前記キャップユニットには、飲み口が開閉自在に設けられていることを特徴とする請求項４〜６の何れか一項に記載の携帯型飲料容器。
【発明の詳細な説明】
【技術分野】
【０００１】
本発明は、着脱式把手のヒンジ構造及び携帯型飲料容器に関する。
【背景技術】
【０００２】
従来より、比較的サイズ（容量）の大きい携帯型飲料容器では、持ち運びを容易とするため、例えばハンドルやストラップなどの把手を容器本体の側面にヒンジ部を介して回動自在に取り付けることが行われている（例えば、特許文献１，２を参照。）。
【先行技術文献】
【特許文献】
【０００３】
【特許文献１】実開平３−７７２１号公報
【特許文献２】特開２００７−２１７０４１号公報
【発明の概要】
【発明が解決しようとする課題】
【０００４】
ところで、携帯型飲料容器では、上述した容器本体の側面にヒンジ部を介して回動自在に支持される把手を容器本体に対して着脱自在に取り付ける構造（以下、着脱式把手のヒンジ構造という。）とすることで、更なる利便性の向上を図ることが可能である。
【０００５】
例えば、携帯型飲料容器に着脱式把手のヒンジ構造を採用した場合、容器本体から把手を取り外して洗浄を行ったり、把手を交換したりすることができるため、非常に便利である。
【０００６】
しかしながら、従来の携帯型飲料容器では、容器本体から把手が着脱しづらい構造であったり、ヒンジ部等が洗浄しづらい構造であったりするため、使い勝手の面で不便を感じることがあった。
【０００７】
本発明は、このような従来の事情に鑑みて提案されたものであり、更なる利便性の向上を可能とした着脱式把手のヒンジ構造、並びにそのような着脱式把手のヒンジ構造を有する携帯型飲料容器を提供することを目的とする。
【課題を解決するための手段】
【０００８】
上記目的を達成するために、本発明は以下の手段を提供する。
〔１〕  容器本体の側面にヒンジ部を介して回動自在に支持される把手を前記容器本体に対して着脱自在に取り付ける着脱式把手のヒンジ構造であって、
前記ヒンジ部は、前記容器本体の側面から突出された支軸と、
前記支軸の先端から拡径方向に突出された抜け止め部と、
前記把手に設けられて、前記支軸及び前記抜け止め部をスライド自在に案内するガイド孔と、
前記ガイド孔のスライド方向の一方側に位置して前記抜け止め部の回動を規制する回動規制部と、
前記ガイド孔のスライド方向の他方側に位置して前記抜け止め部を回動自在に案内する回動案内部とを有し、
前記ガイド孔の内側に進入した前記抜け止め部及び前記支軸を前記ガイド孔の他方側に位置させることによって、前記把手を回動させたときに前記抜け止め部が前記ガイド孔から抜け止めされた状態となると共に、
前記抜け止め部は、平面視で楕円形状を有し、
前記回動案内部は、前記抜け止め部の回動範囲に合わせて平面視で円形状に切り欠かれた凹部であり、
前記回動規制部は、前記凹部との境界において前記抜け止め部と当接される一対の当接部であり、
前記ガイド孔の一方側から前記抜け止め部及び前記支軸を前記ガイド孔の内側に進入させた状態から前記把手を回動させたときに、前記抜け止め部が前記一対の当接部と当接しながら前記凹部の内側へと進入すると共に、前記支軸が前記ガイド孔の一方側から他方側へとスライドすることによって、前記抜け止め部が前記ガイド孔から抜け止めされた状態となることを特徴とする着脱式把手のヒンジ構造。
〔２〕  前記ヒンジ部は、前記容器本体の側面から突出されたガイド凸部と、
前記把手の前記ガイド凸部と対向する面に前記ガイド凸部を前記把手の回動方向に所定の角度範囲で案内するガイド凹部と、
前記ガイド凹部の前記回動方向の一端側と他端側との少なくとも一方側において、前記ガイド凸部と当接される規制凸部とを有し、
前記ガイド凸部が前記規制凸部に当接されることによって、前記把手の回動が規制されると共に、前記ガイド凸部が前記規制凸部を乗り越えることによって、前記角度範囲を超えて前記把手が回動されることを特徴とする前記〔１〕に記載の着脱式把手のヒンジ構造。
〔３〕  前記把手は、前記ガイド孔の前記抜け止め部及び前記支軸が進入する側とは反対側に着脱自在に取り付けられるカバー部材を有し、
前記カバー部材は、前記支軸の先端に設けられた軸穴に係合される軸ピンを有して、前記ガイド孔に沿った方向にスライド自在に取り付けられていることを特徴とする前記〔１〕又は〔２〕に記載の着脱式把手のヒンジ構造。
〔４〕  容器本体と、
前記容器本体の側面にヒンジ部を介して回動自在に支持される把手とを備え、
前記〔１〕〜〔３〕の何れか一項に記載の着脱式把手のヒンジ構造を有して、前記容器本体に対して前記把手が着脱自在に取り付けられていることを特徴とする携帯型飲料容器。
〔５〕  前記把手は、前記容器本体の相対する側面に前記ヒンジ部を介して上下方向に回動自在に支持された一対のアーム部と、前記一対のアーム部の間を連結するアーチ部とを有するハンドルであることを特徴とする前記〔４〕に記載の携帯型飲料容器。
〔６〕  前記把手は、前記容器本体の相対する側面において前記ヒンジ部を介して上下方向に回動自在に支持された可撓性のストラップであることを特徴とする前記〔４〕に記載の携帯型飲料容器。
〔７〕  前記容器本体の上部開口部を閉塞するキャップユニットを備え、
前記キャップユニットには、飲み口が開閉自在に設けられていることを特徴とする前記〔４〕〜〔６〕の何れか一項に記載の携帯型飲料容器。
【発明の効果】
【０００９】
以上のように、本発明によれば、更なる利便性の向上を可能とした着脱式把手のヒンジ構造、並びにそのような着脱式把手のヒンジ構造を有する携帯型飲料容器を提供することが可能である。
【図面の簡単な説明】
【００１０】
【図１】本発明の一実施形態に係る携帯型飲料容器の外観を示す斜視図である。
【図２】図１に示す携帯型飲料容器が備えるヒンジ部の容器本体側の構成を示し、（ａ）はその側面図、（ｂ）はその下方側から見た平面図、（ｃ）はその断面図である。
【図３】図１に示す携帯型飲料容器が備えるヒンジ部のハンドル側の構成を示し、（ａ）はその外側から見た側面図、（ｂ）はその内側から見た側面図、（ｃ）はその断面図である。
【図４】図１に示す携帯型飲料容器が備えるハンドルの回動動作を説明するための図であり、ハンドルが着脱位置にあるときのヒンジ部を拡大して示す側面図である。
【図５】図１に示す携帯型飲料容器が備えるハンドルの回動動作を説明するための図であり、ハンドルが抜け止め位置にあるときのヒンジ部を拡大して示す側面図である。
【図６】図１に示す携帯型飲料容器が備えるハンドルの回動動作を説明するための図であり、ハンドルを着脱位置から抜け止め位置へと回動させたときのヒンジ部を拡大して示す側面図である。
【図７】図１に示す携帯型飲料容器が備えるハンドルの回動動作を説明するための図であり、ハンドルの回動が回動方向の一方側で規制された状態を示す側面図である。
【図８】図７中に示すヒンジ部を拡大して示す側面図である。
【図９】図１に示す携帯型飲料容器が備えるハンドルの回動動作を説明するための図であり、ハンドルの回動が回動方向の他方側で規制された状態を示す側面図である。
【図１０】図９中に示すヒンジ部を拡大して示す側面図である。
【図１１】図１に示す携帯型飲料容器が備えるハンドルの回動動作を説明するための図であり、ハンドルが回動方向の一端側に位置する状態を示す側面図である。
【図１２】図１に示す携帯型飲料容器が備えるハンドルの回動動作を説明するための図であり、ハンドルが回動方向の他端側に位置する状態を示す側面図である。
【図１３】カバー部材の構成を示し、（ａ）はその裏面側から見た平面図、（ｂ）はその表面側から見た平面図、（ｃ）はその断面図、（ｄ）はその先端側から見た側面図である。
【図１４】カバー部材がスライド方向の一方側に位置する状態を示す断面図である。
【図１５】カバー部材がスライド方向の他方側に位置する状態を示す断面図である。
【図１６】カバー部材のスライド動作を説明するための図であり、（ａ）はハンドルが着脱位置にあるときの側面図、（ｂ）はハンドルが中間位置にあるときの側面図、（ｃ）はハンドルが抜け止め位置にあるときの側面図である。
【発明を実施するための形態】
【００１１】
以下、本発明の実施形態について、図面を参照して詳細に説明する。
（携帯型飲料容器）
本発明の一実施形態として、例えば図１に示す携帯型飲料容器１について説明する。なお、図１は、携帯型飲料容器１の外観を示す斜視図である。また、図１中の囲み部分には、線分Ａ−Ａ’による携帯型飲料容器１００の要部断面図を示す。
【００１２】
本実施形態の携帯型飲料容器１００は、比較的サイズ（容量）が大きい保冷機能を有したタイプであり、その内容量は約２Ｌである。なお、比較的サイズ（容量）が大きい携帯型飲料容器としては、例えば１〜３Ｌ程度のものを挙げることができる。
【００１３】
携帯型飲料容器１００は、図１に示すように、容器本体１０１と、キャップユニット１０２とを備えている。容器本体１０１は、真空断熱構造を有している。
【００１４】
具体的に、この容器本体１０１は、例えばステンレス等からなる有底筒状の外容器１０１ａ及び内容器１０１ｂを有し、外容器１０１ａの内側に内容器１０１ｂを収容した状態で互いの口元部を接合した二重構造の容器により構成されている。また、外容器１０１ａと内容器１０１ｂとの間には、真空断熱層１０１ｃが設けられている。真空断熱層１０１ｃは、例えば、高真空に減圧（真空引き）されたチャンバー内で、外容器１０１ａの底面中央部に設けられた脱気孔を塞ぐことによって形成することができる。なお、容器本体１０１の外周面には、塗装や印刷等が施されていてもよい。
【００１５】
携帯型飲料容器１００は、このような真空断熱構造を有する容器本体１０１によって、容器本体１０１に収容された飲料（内容物）を保冷することが可能となっている。なお、携帯型飲料容器の中には、真空断熱構造を有する容器本体によって、保冷機能の他にも、保温機能を持たせたものがある。
【００１６】
容器本体１０１は、円筒状の胴部１０１ｄを有し、この胴部１０１ｄの軸方向の一端（下端）側に底部材１０３と、他端（上端）側に肩部材１０４とが取り付けられた補強構造を有している。底部材１０３は、容器本体１０１の底部を被覆した状態で設けられている。肩部材１０４は、容器本体１０１の胴部１０１ｄの上端から上方に向かって漸次縮径された肩部と、肩部の上端から筒状に起立した口頸部とを被覆した状態で設けられている。
【００１７】
容器本体１０１には、ヒンジ部１０５を介してハンドル（把手）１０６が取り付けられている。ハンドル１０６は、肩部材１０４の相対する側面にヒンジ部１０５を介して上下方向に回動自在に支持された一対のアーム部１０６ａと、一対のアーム部１０６ａの間を連結するアーチ部１０６ｂとを有している。また、アーチ部１０６ｂには、滑り止めとなるグリップ部１０６ｃが設けられている。
【００１８】
なお、上述した容器本体１０１に取り付けられる底部材１０３、肩部材１０４及びハンドル１０６には、耐熱性を有し、高強度且つ軽量な合成樹脂材料として、例えばポリプロピレン（ＰＰ）などが用いられている。また、グリップ部１０６ｃには、例えばエラストマーなどが用いられている。
【００１９】
キャップユニット１０２は、容器本体１０１の上部開口部１０１ｅを閉塞するものであり、容器本体１０１の口頸部（肩部材１０４）に螺合により取り付けられている。また、キャップユニット１０２の内側には、止水パッキン（図示せず。）が着脱自在に取り付けられている。止水パッキンは、容器本体１０１とキャップユニット１０２との間を密閉するリング状のシール部材である。なお、止水パッキンには、例えばシリコーンゴム等の耐熱性を有するゴムやエラストマーなどが用いられている。
【００２０】
キャップユニット１０２の上部には、略円筒状の飲み口（図示せず。）を開閉する蓋１０７がヒンジ部を介して回動自在に取り付けられている。蓋１０７は、ヒンジ部に設けられたバネ部材によって開方向に付勢されている。キャップユニット１０２には、蓋１０７が飲み口を閉塞する位置にて蓋１０７を固定する蓋ロック機構１０８が設けられている。
【００２１】
蓋ロック機構１０８では、押ボタン１０８ａを押圧操作することによって、蓋１０７のロック状態を解除し、バネ部材の付勢により蓋１０７を開方向に回動させることが可能となっている。また、蓋ロック機構１０８には、押ボタン１０８ａの押圧操作を規制する位置と、この規制を解除する位置との間でスライドするストッパー１０８ｂが設けられている。これにより、蓋ロック機構１０８では、押ボタン１０８ａの不要な操作により蓋１０７が開くことを防ぐことが可能となっている。
【００２２】
蓋１０７の内側には、蓋パッキン（図示せず。）が着脱自在に取り付けられている。蓋パッキンは、飲み口と蓋１０７との間を密閉する栓状のシール部材である。なお、蓋パッキンには、止水パッキンと同じ材質のものが用いられている。
【００２３】
なお、キャップユニット１０２としては、上述した飲み口が設けられた形態に限らず、中栓及びコップが設けられた形態であってもよい。また、キャップユニット１０２には、上述した容器本体１０１に取り付けられる底部材１０３、肩部材１０４及びハンドル１０６と同様の合成樹脂材料が用いられている。
【００２４】
本実施形態の携帯型飲料容器１００は、上述した容器本体１０１の側面にヒンジ部１０５を介して回動自在に支持されるハンドル（把手）１０６を容器本体１０１に対して着脱自在に取り付ける着脱式把手のヒンジ構造を有している。
【００２５】
（着脱式把手のヒンジ構造）
以下、本実施形態の着脱式把手のヒンジ構造について、図２〜図１６を参照しながら具体的に説明する。
【００２６】
なお、図２は、携帯型飲料容器１００が備えるヒンジ部１０５の容器本体１０１側の構成を示し、（ａ）はその側面図、（ｂ）はその平面図、（ｃ）はその断面図である。図３は、携帯型飲料容器１００が備えるヒンジ部１０５のハンドル１０６側の構成を示し、（ａ）はその外側から見た側面図、（ｂ）はその内側から見た側面図、（ｃ）はその断面図である。
【００２７】
また、図４〜図６は、携帯型飲料容器１００が備えるハンドル１０６の回動動作を説明するための図であり、図４は、ハンドル１０６が着脱位置にあるときのヒンジ部１０５を拡大して示す側面図である。図５は、ハンドル１０６が抜け止め位置にあるときのヒンジ部１０５を拡大して示す側面図である。図６は、ハンドル１０６を着脱位置から抜け止め位置へと回動させたときのヒンジ部１０５を拡大して示す側面図である。
【００２８】
また、図７〜図１２は、携帯型飲料容器１００が備えるハンドル１０６の回動動作を説明するための図であり、図７は、ハンドル１０６の回動が回動方向の一方側で規制された状態を示す側面図である。図８は、図７中に示すヒンジ部１０５を拡大して示す側面図である。図９は、ハンドル１０６の回動が回動方向の他方側で規制された状態を示す側面図である。図１０は、図９中に示すヒンジ部１０５を拡大して示す側面図である。図１１は、ハンドル１０６が回動方向の一端側に位置する状態を示す側面図である。図１２は、ハンドル１０６が回動方向の他端側に位置する状態を示す側面図である。
【００２９】
図１３は、カバー部材１０の構成を示し、（ａ）はその裏面側から見た平面図、（ｂ）はその表面側から見た平面図、（ｃ）はその断面図、（ｄ）はその先端側から見た側面図である。図１４は、カバー部材１０がスライド方向の一方側に位置する状態を示す断面図である。図１５は、カバー部材１０がスライド方向の他方側に位置する状態を示す断面図である。図１６は、カバー部材１０のスライド動作を説明するための図であり、（ａ）はハンドル１０６が着脱位置にあるときの側面図、（ｂ）はハンドル１０６が中間位置にあるときの側面図、（ｃ）はハンドル１０６が抜け止め位置にあるときの側面図である。
【００３０】
本実施形態の着脱式把手のヒンジ構造は、図２（ａ）〜（ｃ）に示すヒンジ部１０５の容器本体１０１側において、容器本体１０１（肩部材１０４）の側面から突出された支軸１と、支軸１の先端から拡径方向に突出された抜け止め部２とを有している。
【００３１】
支軸１は、肩部材１０４の相対する側面から円柱状に突出して設けられている。支軸１の先端の中央部には、平面視で円形状の軸穴３が設けられている。
【００３２】
抜け止め部２は、平面視で楕円形状を有して、支軸１の先端から拡径方向に突出して設けられている。また、抜け止め部２の中心は、支軸１の中心と一致している。抜け止め部２の長径（長軸方向の長さ）は、支軸１の外径よりも大きくなっている。一方、抜け止め部２の短径（短軸方向の長さ）は、支軸１の外径とほぼ一致している。
【００３３】
本実施形態の着脱式把手のヒンジ構造は、図３（ａ）〜（ｃ）に示すヒンジ部１０５のハンドル１０６側において、支軸１及び抜け止め部２をスライド自在に案内するガイド孔４と、ガイド孔４のスライド方向の一方側に位置して抜け止め部２の回動を規制する回動規制部５と、ガイド孔４のスライド方向の他方側に位置して抜け止め部２を回動自在に案内する回動案内部６とを有している。
【００３４】
ガイド孔４は、ハンドル１０６（一対のアーム部１０６ａ）のヒンジ部１０５を構成する位置において、このハンドル１０６を厚み方向に貫通した長孔である。ガイド孔４は、ハンドル１０６の長手方向（長さ方向）に沿って直線状に設けられている。また、ガイド孔４の幅は、支軸１の外径及び抜け止め部２の短径よりも大きく、且つ、抜け止め部２の長径よりも小さくなっている。これにより、ガイド孔４の内側に進入した抜け止め部２及び支軸１は、このガイド孔４の長手方向に沿ってスライド自在に案内される。
【００３５】
回動案内部６は、ハンドル１０６（一対のアーム部１０６ａ）のヒンジ部１０５を構成する位置において、ガイド孔４の抜け止め部２及び支軸１が進入する側（一対のアーム部１０６ａの内面）とは反対側（一対のアーム部１０６ａの外面）に設けられた凹部である（以下、凹部６と示す場合がある。）。具体的に、この回動案内部６は、抜け止め部２の回動範囲に合わせて、平面視で円形状に切り欠かれた凹部６を形成している。また、凹部６の内径は、抜け止め部２の長径よりも僅かに大きくなっている。
【００３６】
回動規制部５は、凹部６との境界において抜け止め部２と当接される一対の当接部である（以下、当接部５と示す場合がある。）。一対の当接部５の間隔は、ガイド孔４の幅とほぼ一致している。
【００３７】
本実施形態の着脱式把手のヒンジ構造では、図４に示すように、ハンドル１０６が水平方向の一方側（図４中の左側）に位置するとき（以下、この位置のことを着脱位置という。）、ハンドル１０６の一対のアーム部１０６ａの間を広げながら、ガイド孔４の内側に抜け止め部２及び支軸１を進入させたり、ガイド孔４の内側から抜け止め部２及び支軸１を抜き出したりすることができる。
【００３８】
一方、本実施形態の着脱式把手のヒンジ構造では、図５に示すように、ガイド孔４の内側に進入した抜け止め部２及び支軸１がガイド孔４の他方側に９０°回動するするとき（以下、この位置のことを抜け止め位置という。）、ハンドル１０６を回動させたときに抜け止め部２が凹部６内でスムーズに回転しながら、ガイド孔４から抜け止めされた状態となる。
【００３９】
また、本実施形態の着脱式把手のヒンジ構造では、図４に示す着脱位置から、図６に示すように、ハンドル１０６を上方に向けて回動させる。このとき、支軸１がガイド孔４の抜け止め位置よりも手前に位置していても、支軸１の中心が一対の当接部５の先端を結ぶ線よりも抜け止め位置側に位置することで、当接部５に抜け止め部２が当接しながら、この抜け止め部２に凹部６の内側へと進入しようとする力が発生し、支軸１がガイド孔４の抜け止め位置へと導かれる。
【００４０】
これにより、図６に示す状態から更に、ハンドル１０６を上方に向けて回動させることによって、図５に示すように、抜け止め部２が凹部６の内側へと進入すると共に、支軸１がガイド孔４の一方側から他方側へとスライドする。これにより、抜け止め部２がガイド孔４から抜け止めされた状態となる。
【００４１】
一方、本実施形態の着脱式把手のヒンジ構造では、上述したハンドル１０６を着脱位置から抜け止め位置まで回動させる動作とは逆の回動動作によって、ハンドル１０６を再び抜け止め位置から着脱位置へと戻すことが可能である。
【００４２】
本実施形態の着脱式把手のヒンジ構造は、図２（ａ）〜（ｃ）に示すヒンジ部１０５の容器本体１０１側において、容器本体１０１（肩部材１０４）の側面から突出されたガイド凸部７を有している。ガイド凸部７は、支軸１の下方に位置して、支軸１よりも小さい外径且つ支軸１よりも低い高さで円柱状に突出して設けられている。
【００４３】
本実施形態の着脱式把手のヒンジ構造は、図３（ａ）〜（ｃ）に示すヒンジ部１０５のハンドル１０６側において、抜け止め位置にあるとき、ガイド凸部７をハンドル１０６の回動方向に所定の角度範囲で案内するガイド凹部８と、ガイド凸部７と当接される規制凸部９とを有している。
【００４４】
ガイド凹部８は、ガイド凸部７の回動範囲に合わせて、ガイド凸部７と対向する面（一対のアーム部１０６ａの内面）を平面視で円形状に切り欠かくように設けられている。
【００４５】
規制凸部９は、ガイド凹部８の回動方向の一端側と他端側とに位置して、ガイド凹部８の底面からガイド凹部８の深さよりも小さい高さで突出して設けられている。また、規制凸部９は、ガイド凹部８のガイド孔４を挟んだ両側に位置している。
【００４６】
本実施形態の着脱式把手のヒンジ構造では、図８に示すように、ガイド凸部７が一方の規制凸部９に当接されることによって、ハンドル１０６の回動が規制される。これにより、携帯型飲料容器１００では、図７に示すように、ハンドル１０６が回動方向の一方側（図７中の左回り）へと回動したときに、このハンドル１０６が容器本体１０１に接触する手前で回動を停止させることができる。
【００４７】
同様に、本実施形態の着脱式把手のヒンジ構造では、図１０に示すように、ガイド凸部７が他方の規制凸部９に当接されることによって、ハンドル１０６の回動が規制される。これにより、携帯型飲料容器１００では、図９に示すように、ハンドル１０６が回動方向の他方側（図９中の右回り）へと回動したときに、このハンドル１０６が容器本体１０１に接触する手間で回動を停止させることができる。
【００４８】
したがって、本実施形態の携帯型飲料容器１００では、容器本体１０１を縦置きしたときに、重力によってハンドル１０６が下方に向かって回動したときでも、容器本体１０１に接触する手前でハンドル１０６の回動が停止されるため、容器本体１０１にハンドル１０６が衝突することを防ぐことができる。
【００４９】
さらに、本実施形態の着脱式把手のヒンジ構造では、図８に示す状態から、ガイド凸部７が一方の規制凸部９を乗り越える（このときクリック感を付与することができる。）ことによって、一方の規制凸部９で規制された角度範囲を超えてハンドル１０６を回動させることができる。これにより、携帯型飲料容器１００では、図１１に示すように、ハンドル１０６を回動方向の一方側（図１１中の左回り）に回動させながら、このハンドル１０６を容器本体１０１に接触する位置まで回動させることが可能である。
【００５０】
同様に、本実施形態の着脱式把手のヒンジ構造では、図１０に示す状態から、ガイド凸部７が他方の規制凸部９を乗り越える（このときクリック感を付与することができる。）ことによって、他方の規制凸部９で規制された角度範囲を超えてハンドル１０６を回動させることができる。これにより、携帯型飲料容器１００では、図１２に示すように、ハンドル１０６を回動方向の他方側（図１２中の右回り）に回動させながら、このハンドル１０６を容器本体１０１に接触する位置まで回動させることが可能である。
【００５１】
本実施形態の携帯型飲料容器１００では、容器本体１０１に収容された飲料を飲む際に、容器本体１０１を両手で掴んだ状態で、キャップユニット１０２の飲み口に口を当てながら、容器本体１０１を傾ける。このとき、図１１及び図１２に示す位置でハンドル１０６の回動が規制されるため、ハンドル１０６が邪魔になることなく、容器本体１０１を両手で掴んだ状態のまま、容器本体１０１を安心して傾けることができる。また、ハンドル１０６を直接持たなくても、重力によってハンドル１０６が容器本体１０１から垂れ下がった状態となることがない。
【００５２】
本実施形態の着脱式把手のヒンジ構造は、図１３（ａ）〜（ｄ）に示すように、一対のアーム部１０６ａの外面に着脱自在に取り付けられるカバー部材１０を有している。
【００５３】
カバー部材１０は、基端側が略長方形を為す部分と、先端側が略半円形を為す部分とを有して、全体として偏平平板状に形成されている。なお、カバー部材１０には、ハンドル１０６と同じ材質のものが用いられている。
【００５４】
カバー部材１０の裏面には、平面視で円形状の軸ピン１１が突出して設けられている。軸ピン１１は、カバー部材１０の略半円形を為す部分の中心に位置している。
【００５５】
また、カバー部材１０の裏面には、互いに平行となる一対のガイドレール１２が突出して設けられている。一対のガイドレール１２は、カバー部材１０の略長方形を為す部分に位置している。また、一対のガイドレール１２は、カバー部材１０の長手方向（長さ方向）に沿って互いに並行に並んで設けられている。さらに、一対のガイドレール１２の先端には、互いに外側に向かって突出したフック部１２ａが設けられている。
【００５６】
また、カバー部材１０の裏面には、第１の爪部１３と、先端に第２の爪部１４を有するストッパー１５とがそれぞれ突出して設けられている。第１の爪部１３は、カバー部材１０の略半円形を為す部分の先端側に位置している。また、第１の爪部１３の先端は、カバー部材１０の先端よりも外側に突出している。
【００５７】
ストッパー１５は、カバー部材１０の略長方形を為す部分と略半円形を為す部分との間から突出され、平面視で一対のガイドレール１２の間に位置するように、カバー部材１０の長さ方向に一定の幅で延長して設けられている。また、ストッパー１５は、軸ピン１１及び一対のガイドレール１２よりも突出した位置にある。ストッパー１５の先端には、第２の爪部１４が突出して設けられている。
【００５８】
カバー部材１０の表面には、このカバー部材１０をスライド操作する際の滑り止めとなる滑り止め部１６が設けられている。滑り止め部１６は、カバー部材１０の短手方向（幅方向）に延長された複数の溝部１６ａがカバー部材１０の長さ方向に並んで設けられている。
【００５９】
なお、滑り止め部１６については、このような複数の溝部１６ａ（凹部）を設けた構成に限らず、複数の溝部１６ａの代わりに、複数の突条部（凸部）を設けた構成や、エラストマーなどの滑り止め部材を設けた構成とすることも可能である。
【００６０】
アーム部１０６ａの外面には、図３（ａ）〜（ｃ）に示すように、カバー部材１０の形状に合わせて、カバー部材１０の厚み分だけ切りかかれたスライド凹部１７が設けられている。また、スライド凹部１７は、平面視でカバー部材１０よりも長い略長方形を為す部分を有している。これにより、スライド凹部１７の内側に嵌め込まれたカバー部材１０をスライド凹部１７の長手方向にスライドさせることが可能となっている。
【００６１】
スライド凹部１７の底面には、一対のガイドレール１２がスライドする範囲で、アーム部１０６ａを厚み方向に貫通した長孔１８が設けられている。長孔１８の一対のガイドレール１２と対向する側面には、フック部１２ａが係合されるリブ１９が長孔１８の長手方向に亘って設けられている。
【００６２】
カバー部材１０は、スライド凹部１７の内側に嵌め込まれた状態で、一対のガイドレール１２のフック部１２ａをリブ１９に係合させることによって、アーム部１０６ａの外面にスライド自在に取り付けることが可能となっている。逆に、カバー部材１０は、上述したフック部１２ａとリブ１９との係合を解除することによって、アーム部１０６ａの外面から取り外すことが可能である。
【００６３】
スライド凹部１７の先端側には、第１の爪部１３が係止される第１の被係止部２０が設けられている。第１の被係止部２０は、スライド凹部１７の先端側を残して、アーム部１０６ａを厚み方向に切り欠く溝部によって形成されている。
【００６４】
長孔１８の内側には、ストッパー１５の第２の爪部１４が係止される第２の被係止部２１が設けられている。第２の被係止部２１は、長孔１８の基端側の側面から長孔１８の長手方向に延長して設けられている。第２の被係止部２１のストッパー１５と対向する面には、第２の爪部１４が係止される第１の係止凹部２１ａ及び第２の係止凹部２１ｂが設けられている。
【００６５】
カバー部材１０は、図１４に示すように、スライド凹部１７の内側に嵌め込まれた状態で、第１の係止凹部２１ａに第２の爪部１４が係止されることによって、スライド方向の一端側（アーム部１０６ａの基端側）に位置して固定される。また、図１４に示す位置では、スライド凹部１７の内側に嵌め込まれたカバー部材１０をアーム部１０６ａから取り外すことが可能となっている。さらに、図１４に示す位置では、カバー部材１０をアーム部１０６ａに取り付けたまま、ハンドル１０６を容器本体１０１から取り外すことも可能である。
【００６６】
一方、カバー部材１０は、図１５に示すように、スライド凹部１７の内側に嵌め込まれた状態で、第２の係止凹部２１ｂに第２の爪部１４が係止されることによって、スライド方向の他端側（アーム部１０６ａの先端側）に位置して固定される。また、図１５に示す位置では、第１の被係止部２０に第１の爪部１３が係止されることによって、スライド凹部１７の内側に嵌め込まれたカバー部材１０を取り外すことが不可能となっている。さらに、図１５に示す位置では、ハンドル１０６を容器本体１０１から取り外すことも不可能となっている。
【００６７】
カバー部材１０は、図１４及び図１５に示すように、第１の係止凹部２１ａと第２の係止凹部２１ｂとの間を乗り越えることによって、スライド凹部１７の一端側と他端側との間でスライドさせることが可能である。
【００６８】
本実施形態の着脱式把手のヒンジ構造では、軸穴３に軸ピン１１が係合された状態で、カバー部材１０がスライド凹部１７の内側に嵌め込まれている。この場合、ハンドル１０６が着脱位置にあるとき、図１６（ａ）に示すように、スライド凹部１７の内側に嵌め込まれたカバー部材１０は、スライド方向の一端側（アーム部１０６ａの基端側）に位置している。
【００６９】
この状態から、図１６（ｂ）に示すように、ハンドル１０６を上方に向けて回動させることによって、上述した抜け止め部２が凹部６の内側へと進入するため、スライド凹部１７の内側に嵌め込まれたカバー部材１０は、スライド方向の他端側（アーム部１０６ａの先端側）に向かってスライドする。
【００７０】
更に、この状態から、図１６（ｃ）に示すように、ハンドル１０６を抜け止め位置まで回動させることによって、スライド凹部１７の内側に嵌め込まれたカバー部材１０は、スライド方向の他端側（アーム部１０６ａの先端側）までスライドする。
【００７１】
一方、本実施形態の着脱式把手のヒンジ構造では、上述した図１６（ａ）〜（ｃ）示すハンドル１０６の回動動作とは逆の動作によって、スライド凹部１７の内側に嵌め込まれたカバー部材１０をスライド方向の他端側（アーム部１０６ａの先端側）から一端側（アーム部１０６ａの基端側）へとスライドさせることが可能である。
【００７２】
以上のように、本実施形態の着脱式把手のヒンジ構造では、容器本体１０１に対するハンドル１０６の着脱を容易に行うことが可能である。また、カバー部材１０を含めてヒンジ部１０５を分解できるため、ヒンジ部１０５が洗浄し易い構造となっている。したがって、このような着脱式把手のヒンジ構造を採用した携帯型飲料容器１００では、更なる利便性の向上を図ることが可能である。
【００７３】
なお、本発明は、上記実施形態のものに必ずしも限定されるものではなく、本発明の趣旨を逸脱しない範囲において種々の変更を加えることが可能である。
例えば、上記携帯型飲料容器１００については、上述した外観形状を有したものに限定されるものではなく、そのサイズや機能、デザイン等に合わせて、適宜変更を加えることが可能である。また、容器本体１０１は、上述した真空断熱構造を有するものに限らず、本実施形形態の着脱式把手のヒンジ構造が適用可能なものであればよい。
【００７４】
また、上記携帯型飲料容器１００は、把手として、上記ハンドル１０６の代わりに、可撓性のストラップがヒンジ部１０５を介して容器本体１０１の側面に着脱自在に取り付けられた構成とすることも可能である。この場合、ハンドル１０６とストラップとを付け替えて使用することも可能である。
【符号の説明】
【００７５】
１…支軸  ２…抜け止め部  ３…軸穴  ４…ガイド孔  ５…回動規制部（当接部）  ６…回動案内部（凹部）  ７…ガイド凸部  ８…ガイド凹部  ９…規制凸部  １０…カバー部材  １１…軸ピン  １２…ガイドレール  １３…第１の爪部  １４…第２の爪部  １５…ストッパー  １６…滑り止め部  １７…スライド凹部  １８…長孔  １９…リブ  ２０…第１の被係止部  ２１…第２の被係止部  １００…携帯型飲料容器  １０１…容器本体  １０２…キャップユニット  １０３…底部材  １０４…肩部材  １０５…ヒンジ部  １０６…ハンドル（把手）  １０７…蓋  １０８…蓋ロック機構
【要約】
【課題】更なる利便性の向上を可能とした着脱式把手のヒンジ構造を提供する。
【解決手段】容器本体１０１の側面にヒンジ部１０５を介して回動自在に支持される把手１０６を容器本体１０１に対して着脱自在に取り付ける着脱式把手のヒンジ構造であって、ヒンジ部１０５は、容器本体１０１の側面から突出された支軸１と、支軸１の先端から拡径方向に突出された抜け止め部２と、把手１０６に設けられて、支軸１及び抜け止め部２をスライド自在に案内するガイド孔４と、ガイド孔４のスライド方向の一方側に位置して抜け止め部２の回動を規制する回動規制部５と、ガイド孔４のスライド方向の他方側に位置して抜け止め部２を回動自在に案内する回動案内部６とを有し、ガイド孔４の内側に進入した抜け止め部２及び支軸１をガイド孔４の他方側に位置させることによって、把手１０６を回動させたときに抜け止め部２がガイド孔４から抜け止めされた状態となる。
【選択図】図５【図１】
0006041938.tif 000002
【図２】
0006041938.tif 000003
【図３】
0006041938.tif 000004
【図４】
0006041938.tif 000005
【図５】
0006041938.tif 000006
【図６】
0006041938.tif 000007
【図７】
0006041938.tif 000008
【図８】
0006041938.tif 000009
【図９】
0006041938.tif 000010
【図１０】
0006041938.tif 000011
【図１１】
0006041938.tif 000012
【図１２】
0006041938.tif 000013
【図１３】
0006041938.tif 000014
【図１４】
0006041938.tif 000015
【図１５】
0006041938.tif 000016
【図１６】
0006041938.tif 000017